(57)【要約】      （修正有）【課題】吸引ブラシの前進の際、吸引ブラシの操作力を良好に維持しつつ吸引口周辺の吸引力が低下されることを防止することができる、真空掃除機用の吸引ブラシを提供する。【解決手段】掃除の際にブラシボディー１０の底面に形成された吸引口１３ａの周辺を閉鎖して被掃除面Ｄと吸引口との間の高吸引力を発生させるための前方及び後方遮断部材４０、５０を有する真空掃除機の吸引ブラシにおいて、前方遮断部材は、一端が互いに連結された状態でブラシボディーに旋回自在に設けられ、ブラシボディーが前進及び後進する際に被掃除面に交合に密着しながら後方遮断部材とともに吸引口と被掃除面との間の高吸引力を維持するための第１及び第２遮断片４３，４５を備え、第１遮断片は、ブラシボディーが前進する際、被掃除面と密着した状態で吸引口に流入される空気の流入を制限するための複数の空気吸引溝４３ａが形成される真空掃除機の吸引ブラシを提供する。【選択図】図２
2008289852.tif 000002
【特許請求の範囲】
【請求項１】
ブラシボディーの底面の前方及び後方に沿ってそれぞれ設けられ、掃除の際に前記ブラシボディーの底面に形成された吸引口の周辺を閉鎖して被掃除面と吸引口との間の高吸引力を発生させるための前方及び後方遮断部材を有する真空掃除機の吸引ブラシにおいて、
前記前方遮断部材は、一端が互いに連結された状態で前記ブラシボディーに旋回自在に設けられ、前記ブラシボディーが前進及び後進する際に前記被掃除面に交合に密着しながら前記後方遮断部材とともに前記吸引口と被掃除面との間の高吸引力を維持するための第１及び第２遮断片を備え、
前記第１遮断片は、前記ブラシボディーが前進する際、被掃除面と密着した状態で前記吸引口に流入される空気の流入を制限するための複数の空気吸引溝が形成されることを特徴とする真空掃除機の吸引ブラシ。
【請求項２】
前記前方及び後方遮断部材は、前記ブラシボディーに沿って乗降または下降しながら前記被掃除面に密着または離隔されることを特徴とする請求項１に記載の真空掃除機の吸引ブラシ。
【請求項３】
前記ブラシボディーは、内側に乗下降自在に設けられ、前記前方及び後方遮断部材が装着される可動板を含むことを特徴とする請求項２に記載の真空掃除機の吸引ブラシ。
【請求項４】
前記ブラシボディーの上部へ露出されるボタン部と、
前記ボタン部の前方または後方を押すと前記ボタン部の加圧力を前記可動板に伝達するための第１及び第２加圧片と、
前記ブラシボディーの内側に前記ブラシボディーの幅方向に沿って回動自在に設けられ、一側に前記ボタン部が一体で形成され、両側に前記第１及び第２加圧片がそれぞれ同一の角度で突設された回動軸と、
を備えるレバー部材を含むことを特徴とする請求項３に記載の真空掃除機の吸引ブラシ。
【請求項５】
前記ブラシボディーの底面前方の両側に回転自在に結合され、前記前方及び後方遮断部材が下降する際に被掃除面に当たって前記吸引力に対応して前記ブラシボディーを前記被掃除面上で円滑に移動させるための第１及び第２ホイールを更に含むことを特徴とする請求項２に記載の真空掃除機の吸引ブラシ。
【請求項６】
前記第１及び第２遮断片は、被掃除面との密着力を増加させるために軟質の材料から形成されることを特徴とする請求項１または請求項２に記載の真空掃除機の吸引ブラシ。
【発明の詳細な説明】
【技術分野】
【０００１】
本発明は真空掃除機の吸引ブラシに関し、特にカーペットや床などの被掃除面に接触した状態で埃を吸引するための真空掃除機の吸引ブラシに関する。
【背景技術】
【０００２】
一般に、真空掃除機の吸引ブラシはフレキシブルホース及び延長管を介して真空掃除機の本体と連通されており、掃除機の本体に内蔵された吸引モータによって発生される吸引力を用いて被掃除面と吸引ブラシとの間の所定真空圧を維持しながら被掃除面の埃を吸引する。
【０００３】
従来には被掃除面が比較的に平滑な床やオンドルの床を掃除する場合、被掃除面と吸引ブラシとの間の真空圧を最大に維持して埃の吸引力を増加させることにより埃の吸引効率を向上すべく、日本特許公開平７−１６３４９５、韓国特許登録第６６２６４２号に開示されているように、吸引ブラシの吸引口を中心に吸引ブラシの底面前方及び後方にそれぞれ空気の吸引を遮断できる軟質の遮断部材を設置していた。
【０００４】
このように前後方にそれぞれ遮断部材を設けた吸引ブラシは、被掃除面上で前後進する際、吸引口の周辺を外部から遮断することにより被掃除面と吸引ブラシとの間に所定の密閉された空間を設け、この空間での吸引力を最大に維持する。また、前方の遮断部材は、吸引ブラシが前進する際に吸引口の前方の多くを開放させ、かつ後進する際に吸引口の前方を閉鎖することで、吸引ブラシの操作力を良好にする。
【０００５】
ところが、このような従来の吸引ブラシは、前進する際に吸引口の前方の多くが開放されることにより、吸引ブラシが後進する際より吸引口周辺の吸引力が著しく低下するため、埃の吸引効率が低下する問題点があった。
【０００６】
更に、上記した従来の吸引ブラシは、前後方の遮断部材が常に被掃除面に接触した状態を保つため、被掃除面がカーペットであった場合、前後方の遮断部材によってカーペットが損傷する恐れがあり、かつ前後方の遮断部材によってカーペットと吸引口との間に形成される高い真空圧によってカーペットが吸引ブラシの底面に吸着するため、吸引ブラシの操作力が大きく低下する問題点があった。
【特許文献１】日本公開特許平７−１６３４９５号公報
【特許文献２】韓国登録特許第６６２６４２号公報
【発明の開示】
【発明が解決しようとする課題】
【０００７】
本発明は上記の問題点を解決するために提出されたもので、本発明の目的は、吸引ブラシの前進の際、吸引ブラシの操作力を良好に維持しつつ吸引口周辺の吸引力が低下されることを防止することができる、真空掃除機用の吸引ブラシを提供することにある。
【０００８】
本発明の他の目的は、被掃除面の状態に応じて吸引力を調節し、被掃除面上で吸引ブラシの操作力を良好に維持することができる、真空掃除機用の吸引ブラシを提供することにある。
【課題を解決するための手段】
【０００９】
前述の目的を達成するために、本発明は、ブラシボディーの底面の前方及び後方に沿ってそれぞれ設けられ、掃除の際に前記ブラシボディーの底面に形成された吸引口の周辺を閉鎖して被掃除面と吸引口との間の高吸引力を発生させるための前方及び後方遮断部材を有する真空掃除機の吸引ブラシにおいて、前記前方遮断部材は、一端が互いに連結された状態で前記ブラシボディーに旋回自在に設けられ、前記ブラシボディーが前進及び後進する際に前記被掃除面に交合に密着しながら前記後方遮断部材とともに前記吸引口と被掃除面との間の高吸引力を維持するための第１及び第２遮断片を備え、前記第１遮断片は、前記ブラシボディーが前進する際、被掃除面と密着した状態で前記吸引口に流入される空気の流入を制限するための複数の空気吸引溝が形成されることを特徴とする真空掃除機の吸引ブラシを提供する。
【００１０】
前記前方及び後方遮断部材は、前記ブラシボディーに沿って乗降または下降しながら前記被掃除面に密着または離隔されることにより、被掃除面の種類や状態に応じて選択的に前記前方及び後方遮断部材を使用することができる。
【００１１】
この場合、前記ブラシボディーは、内側に乗下降自在に設けられ、前記前方及び後方遮断部材が装着される可動板を含むことができ、またこのような可動板を乗下降させるために、前記ブラシボディーの上部へ露出されるボタン部と、前記ボタン部の前方または後方を押すと前記ボタン部の加圧力を前記可動板に伝達するための第１及び第２加圧片と、前記ブラシボディーの内側に前記ブラシボディーの幅方向に沿って回動自在に設けられ、一側に前記ボタン部が一体で形成され、両側に前記第１及び第２加圧片がそれぞれ同一の角度で突設された回動軸と、を備えるレバー部材を含むことができる。
【００１２】
また、本発明の吸引ブラシは、前記ブラシボディーの底面前方の両側に回転自在に結合され、前記前方及び後方遮断部材が下降する際に被掃除面に当たって前記吸引力に対応して前記ブラシボディーを前記被掃除面上で円滑に移動させるための第１及び第２ホイールを更に含むことができる。
【００１３】
更に、前記第１及び第２遮断片は、被掃除面との密着力を増加させるために軟質の材料から形成されることが好ましい。
【発明の効果】
【００１４】
本発明によると、被掃除面の硬度、材質などの条件に応じて吸引ブラシを第１または第２掃除モードに切り替え、被掃除面の損傷を防止しつつ埃の吸引効率を極大化することができる。
【００１５】
また、第２掃除モードで吸引ブラシが前進する際、前方遮断部材の第１遮断片によって吸引口周辺の吸引力が低下することを防止すると同時に、第１及び第２ホイールによって吸引ブラシが被掃除面上で円滑に移動できるようにし、吸引ブラシの操作力を向上させることができる。
【発明を実施するための最良の形態】
【００１６】
以下、添付の図面に基づいて本発明の好適な実施形態を詳述する。
【００１７】
図１は本発明の一実施形態に係る真空掃除機用の吸引ブラシを示す斜視図であり、図２及び図３は図１に示された吸引ブラシを上側及び下側から見た分解斜視図である。
【００１８】
図１ないし図３に示すように、本発明の吸引ブラシは、ブラシボディー１０、レバー部材２０、可動板３０、前方遮断部材４０、及び後方遮断部材５０を含む。
【００１９】
ブラシボディー１０は、上部カバー１１、下部カバー１３、及び空気案内カバー１５を含む。
【００２０】
上部カバー１１は下側に下部カバー１３が結合され、上側の中央の第１貫通孔１１ａには下部カバー１３の吸引口１３ａを介して被掃除面から流入される埃及び空気を掃除機本体（図示せず）に連通される延長管（図示せず）に案内するための空気案内カバー１５が結合される。
【００２１】
下部カバー１３は底面に幅方向に沿って被掃除面の埃を吸引口１３ａに誘導するためのガイド溝１３ｂが形成される。この場合、吸引口１３ａは空気案内カバー１５と連通されガイド溝１３ｂの大体中央の位置に設けられる。
【００２２】
空気案内カバー１５は前方の底面に吸引口１３ａから流入された埃及び空気が流入される流入口１５ａが形成され、下側には後述するレバー部材２０をヒンジ可能な状態で把持する固定部１７が着脱自在に結合される。このような固定部１７は、下部カバー１３の吸引口１３ａと空気案内カバー１５の流入口１５ａを相互連結する連結口１７ｂを備える。
【００２３】
レバー部材２０は、ボタン部２１、回動軸２３、及び第１及び第２加圧片２５、２７を含む。ボタン部２１は回動軸２３の一側に一体で形成され、ユーザが操作できるように上部カバー１１の第２貫通孔１１ｂを介して上部カバー１１の外部へ露出される。
【００２４】
このようなボタン部２１は、ユーザによってブラシボディー１０の前方または後方が押されることにより、吸引ブラシを第１掃除モードまたは第２掃除モードに切り替える役割を果たす。このとき、第１掃除モードはカーペット掃除の際に前／後方遮断部材４０、５０を乗降させて上部カバー１１の内側に引き込ませた状態であり、第２掃除モードは床やオンドルの床を掃除する際に前／後方遮断部材４０、５０を下降させて上部カバー１１の下側外部へ突出させた状態をそれぞれ示す。回動軸２３は両側端の回動突起２３ａ、２３ｂが前記上部カバー１１の内側に突出された保持リブ１１ｃ、１１ｄによって回動自在に保持されると同時に、回動軸２３の中央部２３ｃが空気案内カバー１５の流入口１５ａの周辺に空気案内カバー１５の幅方向に沿って形成された第１凹溝１５ｂと該第１凹溝１５ｂに対応する固定部１７の第２凹溝１７ａに摺動自在に把持される。第１及び第２加圧片２５、２７はボタン部２１の操作に応じて回動軸２３が一方向またはその逆方向に回動することで、可動板３０を加圧または加圧解除するように回動軸２３の両側に互いに同一の角度で突設される。
【００２５】
可動板３０は、上部カバー１１と下部カバー１３との間に形成される空間部において、可動板３０の第１及び第２挿入溝３２ａ、３２ｂを貫通する上部カバー１１の第１及び第２ガイド軸１１ｅ、１１ｆに沿って乗下降移動が可能のように配置される。この場合、可動板３０は下部カバー１３の保持突起１３ｃ、１３ｄを取り囲む状態で設けられる第１及び第２コイルスプリング３１ａ、３１ｂによって下部カバー１３に対して弾力的に配置され、第１及び第２コイルスプリング３１ａ、３１ｂの上端はそれぞれ第１及び第２挿入溝３２ａ、３２ｂによって保持される。また、可動板３０は中央に固定部１７の干渉を回避して上下部カバー１１、１３内で円滑に乗下降できるように固定部１７が貫通する第３貫通孔３３が形成される。また、第３貫通孔３３の両側にはレバー部材２０の第１及び第２加圧片２５、２７がそれぞれ挿入されると同時に、第１及び第２加圧片２５、２７によって加圧される第１及び第２加圧溝３４ａ、３４ｂが形成される。更に、可動板３０は前方両側の底面に第１及び第２ホイール７１、７２が回転自在に装着される第１及び第２装着溝３５ａ、３５ｂが形成される。この場合、第１及び第２ホイール７１、７２は前方遮断部材４０が被掃除面に密着した状態で移動する際、吸引ブラシの移動を円滑にできるようにし吸引ブラシの操作力を向上させることができる。
【００２６】
前方遮断部材４０はヒンジ軸４１によって可動板３０に旋回可能に設けられた第１及び第２遮断片４３、４５を含む。ヒンジ軸４１は可動板３０の底面の前方に幅方向に沿って形成された第３装着溝３６の両側に回動自在に設けられる。第１及び第２遮断片４３、４５は大体第３装着溝３６に対応する長さを有し、相互に所定角度を維持するように上端が連結部４４によって互いに連結される。この場合、連結部４４はヒンジ軸４１に着脱自在に結合されるように結合溝４４ａが形成される。第１遮断片４３は所定間隔を隔てて複数の空気吸入溝４３ａが形成され、第２遮断片４５は空気が吸入口１３ａに流入されることを遮断するように第１遮断片４３とは異なり別の吸入溝がない。また、第１遮断片４３は前方に位置し第２遮断片４５は後方に位置することにより、第２掃除モードに設定された吸引ブラシが前進及び後進する際に第１及び第２遮断片４３、４５が交合に被掃除面に密着する。この場合、第１又は第２遮断片４３、４５と被掃除面との密着力を増加させるために、第１及び第２遮断片４３、４５を所定の弾力を維持できる軟質の合成樹脂から形成することが好ましい。
【００２７】
後方遮断部材５０は可動板３０の底面の後方と底面の両側一部に沿って形成された第４装着溝３７に装着され、前方遮断部材４０と共に吸入口１３ａの周辺を閉鎖することで吸入口１３ａと被掃除面との間の高い吸引力を維持する。
【００２８】
以下、添付の図４ないし図６に基づいて、前記のように構成された本発明の一実施形態に係る真空掃除機の吸引ブラシの作用を第１及び第２掃除モードにそれぞれ分けて説明する。
【００２９】
まず、図４に示すように、第１掃除モードは、カーペットのように前方及び後方遮断部材４０、５０によって損傷され得る被掃除面（Ｃ）の場合、前方及び後方遮断部材４０．５０を上昇させて被掃除面に接触されることを遮断した状態で掃除が行われるように設定するモードである。
【００３０】
このように、吸引ブラシを第１掃除モードに切り替えるためには、ボタン部２１の前方を矢印Ｆ１の方向に押すと、回動軸２３がボタン部２１の押される方向、すなわちブラシボディー１０の前方に所定角度で回動しながら第１及び第２加圧片２５，２７を上方向に旋回して可動板３０を加圧解除する。これにより、可動板３０は第１及び第２コイルスプリング３１ａ、３１ｂ（図２参照）によって第１及び第２ガイド軸１１ｅ、１１ｆ（図３参照）に沿って乗降しながら前方及び後方遮断部材４０．５０を被掃除面から離隔させる。
【００３１】
このように、吸引ブラシを第１掃除モードに切り替えることで、吸引口１３ａと被掃除面（Ｃ）との間の所定吸引力を維持して吸引ブラシの操作が円滑に行われる。
【００３２】
一方、図５及び図６に示すように、第２掃除モードは床またはオンドルの床のように前方及び後方遮断部材４０、５０によって損傷され得る恐れのない被掃除面（Ｄ）を掃除する際に設定するモードである。
【００３３】
このように、吸引ブラシを第２掃除モードに切り替えるためには、ボタン部２１の後方を矢印Ｆ２の方向に押すと、回動軸２３がボタン部２１の押される方向、すなわちブラシボディー１０の後方に所定角度で回動しながら第１及び第２加圧片２５、２７を下方向に旋回させる。この場合、第１及び第２加圧片２５，２７は第１及び第２加圧溝３４ａ、３４ｂを下方向に加圧するようになり、可動板３０は第１及び第２コイルスプリング３１ａ、３１ｂ（図２参照）の弾発力に対抗しながら第１及び第２ガイド軸１１ｅ、１１ｆ（図３参照）に沿って下降する。その後、回動する第１及び第２加圧片２５、２７が第１及び第２加圧溝３４ａ、３４ｂを外れた後、可動板３０の上面一部３０ａを持続的に押す状態になり前方及び後方遮断部材４０、５０が被掃除面（Ｄ）に密着した状態となる。
【００３４】
このような第２掃除モードにおいて、吸引ブラシを矢印のＡ方向に前進させると、図５に示すように、第１及び第２遮断片４３、４５は被掃除面（Ｄ）との摩擦力によってヒンジ軸４１を中心に吸引ブラシの後方に旋回し、第１遮断片４３が被掃除面に対して大体直角で被掃除面（Ｄ）に密着され、第２遮断片４５は被掃除面（Ｄ）から離隔される。この場合、第１遮断片４３は空気を複数の空気吸引溝４３ａを介してのみ流入口１３ａに流入させることにより、従来の吸引ブラシに比べ吸引口１３ａの開放程度を制限することで吸引口１３ａと被掃除面（Ｄ）との間の圧力損失を最小化して吸引力が低下することを防止する。
【００３５】
この場合、第１及び第２ホイール７１、７２は被掃除面（Ｄ）に接触しながら、第１遮断片４３によって吸引口１３ａと被掃除面との間で発生する比較的に高い吸引力によって吸引ブラシの操作力が低下することを防止するように、吸引ブラシが被掃除面（Ｄ）を円滑に移動するように誘導する。
【００３６】
逆に、第２掃除モードにおいて、吸引ブラシを矢印のＢ方向に後進させると、図６に示すように、第１及び第２遮断片４３、４５は被掃除面（Ｄ）との摩擦力によってヒンジ軸４１を中心にブラシボディー１０の前方に旋回し、第２遮断片４５が被掃除面（Ｄ）に対して大体垂直で密着され、第１遮断片４３は被掃除面（Ｄ）から離隔される。この場合、第２遮断片４５は後方遮断部材５０と共に流入口１３ａの周辺を閉鎖することにより吸引力を最大に維持することで、被掃除面（Ｄ）の埃を空気とともに流入口１３ａに吸引して吸引効率を極大化することができる。
【００３７】
このように、吸引ブラシの後進の際にも第１及び第２ホイール７１、７２は被掃除面（Ｄ）に接触しながら第２遮断片４５によって吸引口１３ａと被掃除面（Ｄ）との間で発生する高吸引力によって吸引ブラシの操作力が低下されることを最小化することができる。
【００３８】
以上、本発明の好適な実施形態を図示及び説明してきたが、本発明の技術的範囲は前述の実施形態に限定するものではなく、特許請求の範囲に基づいて定められ、特許請求の範囲において請求する本発明の要旨から外れることなく当該発明が属する技術分野において通常の知識を有する者であれば誰もが多様な変形実施が可能であることは勿論のことであり、該変更した技術は特許請求の範囲に記載された発明の技術的範囲に属するものである。
【図面の簡単な説明】
【００３９】
【図１】本発明の一実施形態に係る真空掃除機用の吸引ブラシを示す斜視図である。
【図２】本発明の一実施形態に係る真空掃除機用の吸引ブラシを示す分解斜視図である。
【図３】本発明の一実施形態に係る真空掃除機用の吸引ブラシを示す分解斜視図である。
【図４】図１に示されたＩＶ−ＩＶに沿って示す図であって、本発明の一実施形態に係る真空掃除機用の吸引ブラシの第１掃除モードを示す概略断面図である。
【図５】本発明の一実施形態に係る真空掃除機用の吸引ブラシの第２掃除モードにおける吸引ブラシの前進及び後進状態をそれぞれ示す概略断面図である。
【図６】本発明の一実施形態に係る真空掃除機用の吸引ブラシの第２掃除モードにおける吸引ブラシの前進及び後進状態をそれぞれ示す概略断面図である。
【符号の説明】
【００４０】
１０      ブラシボディー
１１      上部カバー
１３      下部カバー
２０      レバー部材
３０      可動板
４０      前方遮断部材
４３      第１遮断片
４３ａ    空気吸引溝
４５      第２遮断片
５０      後方遮断部材
【図１】
2008289852.tif 000003
【図２】
2008289852.tif 000004
【図３】
2008289852.tif 000005
【図４】
2008289852.tif 000006
【図５】
2008289852.tif 000007
【図６】
2008289852.tif 000008